(57)【要約】【課題】連結窓を段違い状に構成した場合に対応可能な連結窓の躯体取付構造を提供する。【解決手段】枠体内に障子またはパネル体を納めた窓を左右方向または上下方向に段違い状に連結してなる連結窓１を建物躯体の開口部４５に取付けてなり、連結窓１は外周面の全周に渡って突出するフィン部１６、１７を有し、建物躯体の開口部４５は方形状の大開口部４４内に、連結窓１の段差部分の外周形状に沿う補助柱４２、４３を取付けてなると共に、室外側面が全周に渡って面一状に形成され、フィン部１６、１７は開口部４５に全周に渡って当接する面一状に形成されてなる。【選択図】図２
2010024686.tif 000002
【特許請求の範囲】
【請求項１】
枠体内に障子またはパネル体を納めた窓を左右方向または上下方向に段違い状に連結してなる連結窓を建物躯体の開口部に取付けてなる連結窓の躯体取付構造であって、
前記連結窓は外周面の全周に渡って突出するフィン部を有し、前記建物躯体の開口部は方形状の大開口部内に、前記連結窓の段差部分の外周形状に沿う補助柱を取付けてなると共に、室外側面が全周に渡って面一状に形成され、前記フィン部は前記開口部に全周に渡って当接する面一状に形成されてなることを特徴とする連結窓の躯体取付構造。
【請求項２】
前記補助柱は、前記大開口部の一辺内周面から内側に突出するように取付けられる第１補助柱と、前記大開口部の前記一辺と直交する他辺内周面から内側に突出するように取付けられる第２補助柱とからなり、前記第１補助柱と第２補助柱は先端部分で突き合わされ連結されてなることを特徴とする請求項１記載の連結窓の躯体取付構造。
【発明の詳細な説明】
【技術分野】
【０００１】
本発明は複数の窓を段違い状に連結してなる連結窓を建物躯体の開口部に取付けてなる連結窓の躯体取付構造に関し、特に開口部に補助柱を設けることで連結窓の形状に適合する形状とした連結窓の躯体取付構造に関する。
【背景技術】
【０００２】
従来、枠体内に障子またはパネル体を納めてなる窓を、横方向に複数連結してなる連結窓が知られている。連結窓は、各窓の外周面に設けられたフィン部を建物躯体の開口部に当接させ、ビス止めすることにより取付固定がなされる。連結窓の連結される縦枠間には方立が設けられ、この方立を介して窓が連結される。建物躯体の開口部に取付けられるこのような連結窓としては、例えば特許文献１に挙げるようなものがある。
【特許文献１】特開平１０−３１７８１５号公報
【発明の開示】
【発明が解決しようとする課題】
【０００３】
従来の連結窓は、連結される２枚の窓の縦辺が同じ高さであった。すなわち、連結窓全体としては方形状とされており、これに対応して建物躯体の開口部も方形状に形成されるのが一般的である。これに対し、このような態様に限られず、窓を段違い状に配置することで、よりデザインの自由度を高めたいという需要がある。
【０００４】
しかし、窓を段違い状に配置すると、連結窓全体としては、外周面に段部が形成されるなど従来の連結窓に比べると複雑な形状となる。建物躯体の開口部は、建物の構造の一部をなすものであるため、段違い状の連結窓に対応した形状とすることは困難であった。
【０００５】
本発明は前記課題を鑑みてなされたものであり、連結窓を段違い状に構成した場合に対応可能な連結窓の躯体取付構造を提供することを目的とする。
【課題を解決するための手段】
【０００６】
前記課題を解決するため、本発明に係る連結窓の躯体取付構造は、枠体内に障子またはパネル体を納めた窓を左右方向または上下方向に段違い状に連結してなる連結窓を建物躯体の開口部に取付けてなる連結窓の躯体取付構造であって、
前記連結窓は外周面の全周に渡って突出するフィン部を有し、前記建物躯体の開口部は方形状の大開口部内に、前記連結窓の段差部分の外周形状に沿う補助柱を取付けてなると共に、室外側面が全周に渡って面一状に形成され、前記フィン部は前記開口部に全周に渡って当接する面一状に形成されてなることを特徴として構成されている。
【０００７】
また、本発明に係る連結窓の躯体取付構造は、前記補助柱は、前記大開口部の一辺内周面から内側に突出するように取付けられる第１補助柱と、前記大開口部の前記一辺と直交する他辺内周面から内側に突出するように取付けられる第２補助柱とからなり、前記第１補助柱と第２補助柱は先端部分で突き合わされ連結されてなることを特徴として構成されている。
【発明の効果】
【０００８】
本発明に係る連結窓の躯体取付構造によれば、連結窓は外周面の全周に渡って突出するフィン部を有し、建物躯体の開口部は方形状の大開口部内に、連結窓の段差部分の外周形状に沿う補助柱を取付けてなると共に、室外側面が全周に渡って面一状に形成され、フィン部は開口部に全周に渡って当接する面一状に形成されてなることにより、建物躯体の設計を大きく変更することなく段違い状に構成された連結窓の取付に対応することができ、また簡易に取付を行うことができる。
【０００９】
また、本発明に係る連結窓の躯体取付構造によれば、補助柱は、大開口部の一辺内周面から内側に突出するように取付けられる第１補助柱と、大開口部の一辺と直交する他辺内周面から内側に突出するように取付けられる第２補助柱とからなり、第１補助柱と第２補助柱は先端部分で突き合わされ連結されてなることにより、連結窓の形状に合わせて補助柱を容易に設けることができる。
【発明を実施するための最良の形態】
【００１０】
本発明の実施形態について、図面に沿って詳細に説明する。図１には、本実施形態において用いられる連結窓１の斜視図を示している。この図に示すように、本実施形態の連結窓１は、高さの低い第１窓２と、第１窓２と同じ高さを有する上構成窓４及び下構成窓５を上下方向に連結してなる第２窓３とを、左右方向に連結することで、第１窓２と第２窓３とを段違い状に配置してなるものである。
【００１１】
ここで、第１窓２は、第２窓３の下部を構成する下構成窓５に隣接するように配置されており、したがって、第１窓２と第２窓３の下辺は一直線状とされる一方、第１窓２の上辺は第２窓３の上辺より低い位置にあって、連結窓１の上側面が階段状となるように構成されている。
【００１２】
図２には本実施形態の連結窓１を建物躯体に取付けた状態の正面図を、図３には本実施形態の連結窓１を建物躯体に取付けた状態の背面図を、それぞれ示している。図２は連結窓１を室外側から見た図であり、図３は連結窓１を室内側から見た図である。これら各図に示すように、建物躯体は、連結窓１が配置される領域の左右にそれぞれ縦材４０、４０が配置され、また連結窓１が配置される領域の上下にそれぞれ横材４１、４１が配置され、これらによって方形状の大開口部４４が形成される。
【００１３】
大開口部４４を構成する上側の横材４１には、縦方向に伸びる縦補助柱４２が取付けられる。また、大開口部４４を構成する第１窓２側の縦材４０には、横方向に伸びる横補助柱４３が取付けられる。これらによって、大開口部４４内には、連結窓１の外周形状に沿った形状の開口部４５が形成される。縦補助柱４２と横補助柱４３は、いずれも室外側面が縦材４０及び横材４１の室外側面と面一状となるように取付けられ、したがって開口部４５は室外面が全周に渡って面一状となる。連結窓１のフィン部１６及び捨て枠部１５の固着フィン部１７が、開口部４５の縁部に全周に渡って室外側から当接し、固定されることによって、連結窓１は建物躯体に固定される。
【００１４】
図４には、建物躯体の分解正面図を示している。大開口部４４を構成する縦材４０と横材４１は、木製の角材によって形成されている。また、開口部４５を構成する縦補助柱４２と横補助柱４３も、木製の角材によって形成されており、これらは先端部で突き合わされ連結されることによって、大開口部４４内で略Ｌ字状をなすように配置される。
【００１５】
図２に示すように、第１窓２は、上枠１２と下枠１３及び左右の縦枠１４、１４を方形状に枠組みしてなる枠体１０内に、ガラス板からなるパネル体１１を納めて構成されている。また、第２窓２を構成する上構成窓４と下構成窓５は、いずれも上枠２２と下枠２３及び左右の縦枠２４、２４を方形状に枠組みしてなる枠体２０内に、ガラス板からなるパネル体２１を納めて構成されている。
【００１６】
第１窓２と第２窓３は、方立６によって左右方向に連結されている。方立６は、第１窓２よりも高さの大きい第２窓３と略同じ高さを有するように形成されており、その全長に渡って第２窓３と連結され、第１窓２が配置された領域では第１窓２と連結されると共に、第１窓２よりも上方においては、第１窓２の縦枠１４に取付けられた捨て枠部１５と連結される。また、第２窓３を構成する上構成窓４と下構成窓５は、無目７を介して連結されている。
【００１７】
図５には、連結窓１の分解斜視図を示している。この図に示すように、第１窓２の方立６と連結される縦枠１４には、この縦枠１４を上方に延長する捨て枠部１５が連結されている。捨て枠部１５は、方立６と対向する面が縦枠１４と同じ形状となるように形成されており、またその上端位置は方立６の上端位置と略同じとなるようにされており、したがって方立６の第１窓２側の面に対しては、第１窓２の縦枠１４と捨て枠部１５が略全長に渡って連結される。縦枠１４と捨て枠部１５は、連結金具３２により連結されている。
【００１８】
一方、第２窓２は、前述のように方立６の高さと略同じ高さを有しており、したがって縦枠２４が方立６の略全長に渡って連結される。このように、方立６の第１窓２側の面に捨て枠部１５を連結してこれを覆うようにしたので、第１窓２と第２窓２を段違い状に配置しても、同じ高さを有した２つの窓を連結する場合と同様に方立６により連結をなすことができるので、連結窓１の特に段差をなす角部における気密性及び水密性を容易に確保することができる。
【００１９】
さらに、方立６の端面を含む第１窓２と第２窓２の連結端部には、上下にそれぞれ上塞ぎキャップ３０と下塞ぎキャップ３１が取付けられる。上塞ぎキャップ３０は、捨て枠部１５の方立６と連結される面の上端面と方立６の上端面及び第２窓２の縦枠２４の上端面を覆うと共に、第２窓２の上枠２２端部にかかるように形成されている。下塞ぎキャップ３１も、捨て枠部１５の方立６と連結される面の下端面と方立６の下端面及び第２窓２の縦枠２４の下端面を覆うと共に、第２窓２の下枠２３端部にかかるように形成されている。
【００２０】
連結窓１を構成する第１窓２と第２窓３には、それぞれ外周面にフィン部１６が形成されている。フィン部１６は、第１窓２の上枠１２と建物躯体側の縦枠１４及び下枠１３の各長手方向に沿って面一状となるように設けられる。第２窓３を構成する上構成窓４には、上枠２２と建物躯体側の縦枠２４にフィン部１６が形成され、下構成窓５には建物躯体側の縦枠２４と下枠２３にそれぞれフィン部１６が形成される。また、方立６の一方側に取付けられる捨て枠部１５には、フィン部１６と略面一状となるように固着フィン部１７が形成されている。
【００２１】
第１窓２と第２窓３のフィン部１６及び捨て枠部１５の固着フィン部１７により、連結窓１の外周面には、全周に渡って略面一状のフィン部が形成される。この全周に渡るフィン部は、図２及び図３に示すように建物躯体の開口部４５に対して当接し、ビス止めされることで連結窓１が建物躯体に固定される。
【００２２】
このように、段違い状に連結されてなる連結窓１を納めるために、方形状の大開口部４４内に連結窓１の段差部分の外周形状に沿う補助柱４２、４３を設け、その形状に沿うように連結窓１の外周面にフィン部を全周に渡って略面一状に設けたことにより、建物躯体の設計を大きく変更することなく段違い状に構成された連結窓１の取付に対応することができ、また簡易に取付を行うことができる。
【００２３】
また、縦補助柱４２は大開口部４４の一辺内周面から内側に突出するように取付けられ、横補助柱４３は縦補助柱４２が取付けられる辺と直交する大開口部４４の他辺内周面から内側に突出するように取付けられ、両者は先端部分で突き合わされ連結されることにより、連結窓１の形状に合わせて補助柱を容易に設けることができる。
【００２４】
図６〜図９には、図２のＡ−Ａ断面図、Ｂ−Ｂ断面図、Ｃ−Ｃ断面図、Ｄ−Ｄ断面図を示している。これら各図に示すように、第１窓２のフィン部１６と第２窓３のフィン部１６及び捨て枠部１５の固着フィン部１７は、それぞれ建物躯体の開口部４５の室外面に対して、当接しビス止めされる。また、フィン部１６及び固着フィン部１７が建物躯体に当接した位置より室外側には、外壁材４６が設けられ、連結窓１と外壁材４６の間には気密材４７が設けられる。
【００２５】
実際には、図６及び図７に示すように、開口部４５の上辺と下辺については、横材４１あるいは横補助柱４３の室外側面に壁材４８が開口部４５の縁部まで設けられており、連結窓１のフィン部１６は、直接にはこの壁材４８に対して当接されている。すなわち、フィン部１６は横材４１または横補助柱４３に対して壁材４８を介して当接固定されている。また、図８及び図９に示すように、開口部４５の縦辺については、縦材４０あるいは縦補助柱４２の室外側面にスペーサ４９が設けられており、連結窓１のフィン部１６あるいは固着フィン部１７は、直接にはこのスペーサ４９に対して当接されている。すなわち、フィン部１６や固着フィン部１７は縦材４０または縦補助柱４２に対してスペーサ４９を介して当接固定されている。
【００２６】
また、これら各図においては、連結窓１の室内側に額縁材９を配設している。第１窓２と上構成窓４及び下構成窓５には、それぞれ四周に渡ってアングル部１８が形成されている。図６に示すように、第１窓２の上枠１２と下枠１３の各アングル部１８は、それぞれ額縁材９の内周面に当接し、ビス止め固定されている。なお、額縁材９は室外側面がそれぞれ上枠１２、下枠１３の室内側面に当接して位置決めされている。
【００２７】
図８に示すように、第１窓２の建物躯体側の縦枠１４に形成されたアングル部１８は、額縁材９の内周面に当接しビス止め固定されている。一方、第１窓２の方立側の縦枠１４に形成されたアングル部１８は、方立６の樹脂カバー体６ｆの側面を覆うと共に、アングル部１８から樹脂カバー体６ｆの側面に対してビス止めがなされる。
【００２８】
このような建物躯体に対して取付ける連結窓１は、これまで説明したように捨て枠部１５を用いて第１窓２と第２窓３とを連結するものには限られない。図１０には、他の形態の連結窓１の斜視図を示している。図６において、第１窓２と第２窓３は、方立６を介して横方向に連結され、第２窓３とその上方に設けられる第３窓８は、無目７を介して縦方向に連結される。図１０では、図１の連結窓１と異なり、第１窓２と第２窓３は同じ高さを有し、方立６もこれらと略同じ高さを有する。したがって、第３窓８には通常の縦枠１４が両側に設けられる。
【００２９】
第１窓２と第２窓３及び第３窓８のコーナー部分が突き合わされる角部には、第１窓２と第２窓３の連結端面と、第２窓３と第３窓８の連結端面、及び第１窓２と第３窓８のフィン部１６間に、それぞれ隙間を生じるので、これらを塞ぐように塞ぎキャップ５０が取付けられる。塞ぎキャップ５０は、隙間を生じる三面を塞ぐように互いに直交する三面を有して構成され、各面についてビス止め固定される。
【００３０】
図１１には、図１０の連結窓１を建物躯体に取付けた状態の正面図を示している。図１０の連結窓１も、外周面の全周に渡って略面一状のフィン部１６を有しており、これが建物躯体に形成された開口部４５に対して当接し、ビス止めされることにより固定がなされる。建物躯体の開口部４５は、左右の縦材４０と上下の横材４１により形成された大開口部４４に縦補助柱４２及び横補助柱４３が取付けられることにより、連結窓１の外形状に沿った形状に形成されている。
【００３１】
このように、連結窓１を階段状に形成することにより生じる角部に塞ぎキャップ５０を設けることで、連結窓１の気密性及び水密性を確保する場合においても、建物躯体に縦補助柱４２及び横補助柱４３を設けて構成した開口部４５に対して固定を行うことができる。
【００３２】
また、連結窓１の形状は、これまで説明したものには限られない。図１２には、他の形態の連結窓１の斜視図を示している。この図に示す連結窓１は、第２窓３の両側にそれぞれ第１窓２を配置している。両側の第１窓２は、それぞれ方立６を介して第２窓３と連結されている。また第１窓２は、いずれも第２窓３の上下方向略中央位置に配置されており、第１窓２の上方と下方が、それぞれ窓の設けられない領域となって段違い状を構成している。
【００３３】
方立６の第１窓２側の面のうち、第１窓２の上方と下方の露出面には、それぞれ捨て枠部１５が設けられる。すなわち、本実施形態において捨て枠部１５は、第１窓２の上方と下方にそれぞれ延びるように設けられ、方立６の露出面を覆っている。これによって、第１窓２側を第２窓３と同様の取付構造で方立６に対して固定することができる。
【００３４】
図１２の連結窓１を建物躯体に取付けた状態の正面図を図１３に示している。この図に示すように、建物躯体には、左右の縦材４０と上下の横材４１によって大開口部４４が形成されると共に、大開口部４４内に４組の縦補助柱４２及び横補助柱４３が設けられて連結窓１の外周形状に沿った開口部４５が形成される。連結窓１を構成する各窓には、外周面に面一状のフィン部１６が形成され、また捨て枠部１５にはフィン部１６と略面一状となる固着フィン部１７が形成されているので、連結窓１の外周面の全周に渡ってフィン部が形成されており、これが開口部４５に当接しビス止められることで、連結窓１が建物躯体に固定される。
【００３５】
以上、本発明の実施形態について説明したが、本発明の適用はこれら実施形態には限られず、その技術的思想の範囲内において様々に適用されうるものである。これらの実施形態では、連結窓１を構成する窓は、いずれも枠体内にパネル体を直接納めた所謂嵌め殺し窓であるが、その他の種類の窓であってもよく、例えば辷り出し窓や開き窓、突き出し窓やルーバー窓などであってもよく、枠体内に障子を納めたものであってもよい。また、連結窓１の形状についても、２枚以上の窓が段違い状に配置されていればよく、
【図面の簡単な説明】
【００３６】
【図１】本実施形態において用いられる連結窓の斜視図である。
【図２】本実施形態の連結窓を建物躯体に取付けた状態の正面図である。
【図３】本実施形態の連結窓を建物躯体に取付けた状態の背面図である。
【図４】建物躯体の分解正面図である。
【図５】連結窓の分解斜視図である。
【図６】図２のＡ−Ａ断面図である。
【図７】図２のＢ−Ｂ断面図である。
【図８】図２のＣ−Ｃ断面図である。
【図９】図２のＤ−Ｄ断面図である。
【図１０】他の形態の連結窓の斜視図である。
【図１１】図１０の連結窓を建物躯体に取付けた状態の正面図である。
【図１２】他の形態の連結窓の斜視図である。
【図１３】図１２の連結窓を建物躯体に取付けた状態の正面図である。
【符号の説明】
【００３７】
１    連結窓
２    第１窓
３    第２窓
４    上構成窓
５    下構成窓
６    方立
７    無目
８    第３窓
９    額縁材
１０    枠体
１１    パネル体
１２    上枠
１３    下枠
１４    縦枠
１５    捨て枠部
１６    フィン部
１７    固着フィン部
１８    アングル部
２０    枠体
２１    パネル体
２２    上枠
２３    下枠
２４    縦枠
４０    縦材
４１    横材
４２    縦補助柱
４３    横補助柱
４４    大開口部
４５    開口部
４６    外壁材
４７    気密材
【図１】
2010024686.tif 000003
【図２】
2010024686.tif 000004
【図３】
2010024686.tif 000005
【図４】
2010024686.tif 000006
【図５】
2010024686.tif 000007
【図６】
2010024686.tif 000008
【図７】
2010024686.tif 000009
【図８】
2010024686.tif 000010
【図９】
2010024686.tif 000011
【図１０】
2010024686.tif 000012
【図１１】
2010024686.tif 000013
【図１２】
2010024686.tif 000014
【図１３】
2010024686.tif 000015